【手続補正書】
【提出日】平成20年2月13日(2008.2.13)
【手続補正１】
【補正対象書類名】明細書
【補正対象項目名】特許請求の範囲
【補正方法】変更
【補正の内容】
【特許請求の範囲】
【請求項１】  ページ単位でデータを入力する入力手段と、
前記入力手段で入力されたデータに基づき、複数ページを有し、各ページと対応付けて次のページの存在を示す情報または最終ページであることを示す情報を含む１つのファイルを生成する生成手段と、
前記生成手段によるファイルの生成の中断を指示する指示手段と、
前記指示手段による中断の指示に応じて前記最終ページであることを示す情報を当該ファイルに書き込むよう制御する制御手段とを有することを特徴とするデータ処理装置。
【請求項２】  ユーザによる操作を受け付ける操作手段を有し、前記指示手段は、前記操作手段で受け付けた操作に従って前記生成手段によるファイルの生成の中断を指示することを特徴とする請求項１に記載のデータ処理装置。
【請求項３】  前記指示手段は、前記データ処理装置のエラーにより前記生成手段によるファイルの生成の中断を指示することを特徴とする請求項１または２に記載のデータ処理装置。
【請求項４】  原稿上の画像を読み取り、該画像に応じた画像データを発生する読取手段を有し、前記入力手段は、前記読取手段により発生した複数枚の原稿に対応する画像データを入力することを特徴とする請求項１乃至３のいずれか１項に記載のデータ処理装置。
【請求項５】  セットされた複数枚の原稿を、前記読取手段で読み取らせるべく１枚ずつ搬送する原稿搬送手段を有し、前記生成手段は、前記原稿搬送手段にセットされた複数枚の原稿に対応する画像データを１つのファイルとすることを特徴とする請求項４に記載のデータ処理装置。
【請求項６】  前記読取手段は、ユーザにより１枚ずつ交換された原稿上の画像を読み取り、前記生成手段は、ユーザから読取を終了させる旨の操作があるまでに前記読取手段で読み取った原稿上の画像に対応する画像データを１つのファイルとすることを特徴とする請求項４または５に記載のデータ処理装置。
【請求項７】  ページ単位でデータを入力する入力手段と、
前記入力手段で入力されたデータに基づきファイルを生成する生成手段と、
前記入力手段で入力される複数ページを有する一連のデータを複数に分割する分割手段とを有し、
前記生成手段は、前記分割手段で分割された複数のデータのそれぞれを異なるファイルとするとともに、それぞれのファイルが一連のデータに基づくものであることを示す情報を前記異なるファイルのそれぞれに書き込むことを特徴とするデータ処理装置。
【請求項８】  前記分割手段は、前記入力手段で入力されたデータを、所定のページ数に応じて分割することを特徴とする請求項７に記載のデータ処理装置。
【請求項９】  前記分割手段は、前記入力手段で入力されたデータを、所定のデータサイズに応じて分割することを特徴とする請求項７に記載のデータ処理装置。
【請求項１０】  原稿上の画像を読み取り、該画像に応じた画像データを発生する読取手段を有し、前記入力手段は、前記読取手段により発生した複数枚の原稿に対応する画像データを入力することを特徴とする請求項７乃至９のいずれか１項に記載のデータ処理装置。
【請求項１１】  セットされた複数枚の原稿を、前記読取手段で読み取らせるべく１枚ずつ搬送する原稿搬送手段を有し、前記入力手段は、前記原稿搬送手段にセットされた複数枚の原稿に対応する画像データを一連のデータとして入力することを特徴とする請求項１０に記載のデータ処理装置。
【請求項１２】  前記読取手段は、ユーザにより１枚ずつ交換された原稿上の画像を読み取り、前記入力手段は、ユーザから読取を終了させる旨の操作があるまでに前記読取手段で読み取った原稿上の画像に対応する画像データを一連のデータとして入力することを特徴とする請求項１０に記載のデータ処理装置。
【請求項１３】  それぞれがページ単位で区切られた複数のデータを記憶する記憶手段と、
前記記憶手段に記憶されているデータの中から複数のデータを選択する選択手段と、
前記選択手段で選択された複数のデータを連結し、各ページと対応付けて次のページの存在を示す情報または最終ページであることを示す情報を含む１つのファイルを生成する生成手段とを有することを特徴とするデータ処理装置。
【請求項１４】  前記生成手段は、各ページと対応付けて次ページへのオフセット値を含むファイルを生成し、最終ページに対するオフセット値はゼロとすることを特徴とする請求項１乃至１３のいずれか１項に記載のデータ処理装置。
【請求項１５】  前記生成手段で生成したファイルを、ユーザにより指定された宛先に、当該宛先に応じた送信プロトコルに従って送信する送信手段を有することを特徴とする請求項１乃至１４のいずれか１項に記載のデータ処理装置。
【請求項１６】  ページ単位でデータを入力する入力工程と、
前記入力工程で入力されたデータに基づき、複数ページを有し、各ページと対応付けて次のページの存在を示す情報または最終ページであることを示す情報を含む１つのファイルを生成する生成工程と、
前記生成工程によるファイルの生成の中断を指示する指示工程と、
前記指示工程による中断の指示に応じて前記最終ページであることを示す情報を当該ファイルに書き込むよう制御する制御工程とを有することを特徴とするデータ処理方法。
【請求項１７】  ページ単位でデータを入力する入力工程と、
前記入力工程で入力されたデータに基づきファイルを生成する生成工程と、
前記入力工程で入力される複数ページを有する一連のデータを複数に分割する分割工程とを有し、
前記生成工程は、前記分割工程で分割された複数のデータのそれぞれを異なるファイルとするとともに、それぞれのファイルが一連のデータに基づくものであることを示す情報を各ファイルに書き込むことを特徴とするデータ処理方法。
【請求項１８】  それぞれがページ単位で区切られた複数のデータを記憶装置に記憶する記憶工程と、
前記記憶装置に記憶されたデータの中から複数のデータを選択する選択工程と、
前記選択工程で選択された複数のデータを連結し、各ページと対応付けて次のページの存在を示す情報または最終ページであることを示す情報を含む１つのファイルを生成する生成工程とを有することを特徴とするデータ処理方法。
【請求項１９】  コンピュータに、請求項１６乃至１８のいずれか１項に記載のデータ処理方法の各工程を実行させるためのプログラム。
【手続補正２】
【補正対象書類名】明細書
【補正対象項目名】０００１
【補正方法】変更
【補正の内容】
【０００１】
【発明の属する技術分野】
本発明は、入力された画像データから、複数ページで１つのファイルとしたイメージファイルを形成することのできるデータ処理装置及びデータ処理方法に関するものである。
【手続補正３】
【補正対象書類名】明細書
【補正対象項目名】００１０
【補正方法】変更
【補正の内容】
【００１０】
本発明の目的は上述の様な問題点を解消し、柔軟性に富んだファイル操作が可能なデータ処理装置及びデータ処理方法を提供することにある。
【手続補正４】
【補正対象書類名】明細書
【補正対象項目名】００１１
【補正方法】変更
【補正の内容】
【００１１】
【課題を解決するための手段】
すなわち、本発明の要旨は、ページ単位でデータを入力する入力手段と、入力手段で入力されたデータに基づき、複数ページを有し、各ページと対応付けて次のページの存在を示す情報または最終ページであることを示す情報を含む１つのファイルを生成する生成手段と、生成手段によるファイルの生成の中断を指示する指示手段と、指示手段による中断の指示に応じて最終ページであることを示す情報を当ファイルに書き込むよう制御する制御手段とを有することを特徴とするデータ処理装置に存する。
【手続補正５】
【補正対象書類名】明細書
【補正対象項目名】００１２
【補正方法】変更
【補正の内容】
【００１２】
また、本発明の別の要旨は、ページ単位でデータを入力する入力手段と、入力手段で入力されたデータに基づきファイルを生成する生成手段と、入力手段で入力される複数ページを有する一連のデータを複数に分割する分割手段とを有し、生成手段は、分割手段で分割された複数のデータのそれぞれを異なるファイルとするとともに、それぞれのファイルが一連のデータに基づくものであることを示す情報を異なるファイルのそれぞれに書き込むことを特徴とするデータ処理装置に存する。
【手続補正６】
【補正対象書類名】明細書
【補正対象項目名】００１３
【補正方法】変更
【補正の内容】
【００１３】
また、本発明の別の要旨は、それぞれがページ単位で区切られた複数のデータを記憶する記憶手段と、記憶手段に記憶されているデータの中から複数のデータを選択する選択手段と、選択手段で選択された複数のデータを連結し、各ページと対応付けて次のページの存在を示す情報または最終ページであることを示す情報を含む１つのファイルを生成する生成手段とを有することを特徴とするデータ処理装置に存する。
【手続補正７】
【補正対象書類名】明細書
【補正対象項目名】００１４
【補正方法】変更
【補正の内容】
【００１４】
また、本発明の別の要旨は、ページ単位でデータを入力する入力工程と、入力工程で入力されたデータに基づき、複数ページを有し、各ページと対応付けて次のページの存在を示す情報または最終ページであることを示す情報を含む１つのファイルを生成する生成工程と、生成工程によるファイルの生成の中断を指示する指示工程と、指示工程による中断の指示に応じて最終ページであることを示す情報を当ファイルに書き込むよう制御する制御工程とを有することを特徴とするデータ処理方法に存する。
【手続補正８】
【補正対象書類名】明細書
【補正対象項目名】００１５
【補正方法】変更
【補正の内容】
【００１５】
また、本発明の別の要旨は、ページ単位でデータを入力する入力工程と、入力工程で入力されたデータに基づきファイルを生成する生成工程と、入力工程で入力される複数ページを有する一連のデータを複数に分割する分割工程とを有し、生成工程は、分割工程で分割された複数のデータのそれぞれを異なるファイルとするとともに、それぞれのファイルが一連のデータに基づくものであることを示す情報を各ファイルに書き込むことを特徴とするデータ処理方法に存する。
【手続補正９】
【補正対象書類名】明細書
【補正対象項目名】００１６
【補正方法】変更
【補正の内容】
【００１６】
また、本発明の別の要旨は、それぞれがページ単位で区切られた複数のデータを記憶装置に記憶する記憶工程と、記憶装置に記憶されたデータの中から複数のデータを選択する選択工程と、選択工程で選択された複数のデータを連結し、各ページと対応付けて次のページの存在を示す情報または最終ページであることを示す情報を含む１つのファイルを生成する生成工程とを有することを特徴とするデータ処理方法に存する。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】